(57)【要約】      （修正有）【課題】紐を介して重い鞄を軽い力で引っ張って移動し、また鞄が不意に移動するのを軽い引張力で制限して、楽に使用できるようにする。キャスターを大きくすることなく、路面抵抗の大きい路面を安定して倒れない姿勢で、楽にスムーズに移動できるようにしたキャスター付きの鞄を提供する。【解決手段】キャスター付の鞄は、底面の四隅部に自由な方向に走行可能なキャスター１を有する鞄本体３と、この鞄本体３に連結している伸縮取手２と、この伸縮取手２に連結している所定の長さの紐材からなるサブグリップ６とを備え、サブグリップ６を握って移動範囲を制限したり、引っ張って移動することができる。【選択図】  図４
2007159735.tif 000002
【特許請求の範囲】
【請求項１】
底面の四隅部に自由な方向に走行可能なキャスター(1)を有する鞄本体(3)と、この鞄本体(3)に連結している伸縮取手(2)と、この伸縮取手(2)に連結している所定の長さの紐材からなるサブグリップ(6)とを備え、
伸縮取手(2)は、鞄本体(3)から上方に伸びて自立し、かつ上下方向に伸縮自在で上端にはグリップ(4)を設けている伸縮ロッド(5)と、この伸縮ロッド(5)を伸長位置に停止させるストッパ(15)とを備え、
伸縮取手(2)に連結している紐材からなるサブグリップ(6)を握って鞄本体(3)の移動範囲を制限し、あるいは鞄本体(3)を引っ張って移動するようにしてなるキャスター付の鞄。
【請求項２】
サブグリップ(6)の紐材の全長が１０ｃｍ〜９０ｃｍである請求項１に記載されるキャスター付の鞄。
【請求項３】
サブグリップ(6)が、先端部に、紐材をループ状に連結してなるループ部(6A)を有する請求項１に記載されるキャスター付の鞄。
【請求項４】
伸縮ロッド(5)が鞄本体(3)の側面に固定され、この伸縮ロッド(5)が上端のグリップ(4)を鞄本体(3)の中央に位置させる方向に傾斜し、または湾曲している請求項１に記載されるキャスター付の鞄。
【請求項５】
鞄本体(3)を載せて連結するベースフレーム(7)を備え、このベースフレーム(7)の四隅にキャスター(1)を連結して、側部に伸縮ロッド(5)を連結しており、伸縮ロッド(5)が、上端のグリップ(4)を鞄本体(3)の中央に位置させる方向に傾斜し、または湾曲している請求項１に記載されるキャスター付の鞄。
【請求項６】
伸縮取手(2)が途中の引き出し位置で停止するストッパ(15)を備える請求項１に記載されるキャスター付の鞄。
【請求項７】
底面の四隅部に自由な方向に走行可能なキャスター(1)を有する鞄本体(3)と、この鞄本体(3)に連結している伸縮取手(2)と、鞄本体(3)に連結している所定の長さの紐材からなるサブグリップ(6)とを備え、
伸縮取手(2)は、鞄本体(3)から上方に伸びて自立し、かつ上方に伸縮自在で上端にはグリップ(4)を設けている伸縮ロッド(5)と、この伸縮ロッド(5)を伸長位置に停止させるストッパ(15)とを備え、
伸縮取手(2)のグリップ(4)で鞄本体(3)を垂直姿勢に保持しながら、鞄本体(3)に連結している紐材からなるサブグリップ(6)を握って鞄本体(3)の移動範囲を制限し、あるいは鞄本体(3)を引っ張って移動するようにしてなるキャスター付の鞄。
【請求項８】
サブグリップ(6)の紐材の全長が１０ｃｍ〜９０ｃｍである請求項７に記載されるキャスター付の鞄。
【請求項９】
サブグリップ(6)が、先端部に、紐材をループ状に連結してなるループ部(6A)を有する請求項７に記載されるキャスター付の鞄。
【請求項１０】
伸縮ロッド(5)が鞄本体(3)の側面に固定され、この伸縮ロッド(5)が上端のグリップ(4)を鞄本体(3)の中央に位置させる方向に傾斜し、または湾曲している請求項７に記載されるキャスター付の鞄。
【請求項１１】
鞄本体(3)を載せて連結するベースフレーム(7)を備え、このベースフレーム(7)の四隅にキャスター(1)を連結して、側部に伸縮ロッド(5)を連結しており、伸縮ロッド(5)が、上端のグリップ(4)を鞄本体(3)の中央に位置させる方向に傾斜し、または湾曲している請求項７に記載されるキャスター付の鞄。
【請求項１２】
伸縮取手(2)が途中の引き出し位置で停止するストッパ(15)を備える請求項７に記載されるキャスター付の鞄。
【発明の詳細な説明】
【技術分野】
【０００１】
本発明は、キャスター付きの鞄に関し、とくに、移動範囲を制限し、あるいは引っ張って軽く移動できる鞄に関する。
【背景技術】
【０００２】
上下に伸縮できる伸縮取手を備えるキャスター付きの鞄はすでに開発されて多く使用されている。この構造の鞄は、航空機に持込みできる程度の大きさ、あるいは、これよりも多少大きいタイプのものが多い。この構造の鞄は、例えば、米国特許第４９９５４８７号の明細書（特許文献１）、特公平４−７６６８６号公報（特許文献２）、実開平５７−１７９８２４号公報（特許文献３）及び実開昭６３−１３１６３４号公報（特許文献４）に記載されている。
【０００３】
これ等の公報に記載される鞄は、図１に示すように底面の片側に２個のキャスター７１を設けている。キャスター７１の反対側には、短い脚７５を固定している。鞄を垂直に立てると、キャスター７１と脚７５とが床に接触する。この状態では、回転しない脚７５が接触するので、鞄は移動しない状態で垂直に自立する。さらに、鞄を引っ張って移動させるために、上面に引き出しできるように取手７２を設けている。取手７２は、鞄を傾斜させた状態で引っ張って移動させるので、キャスター７１と同じ側に設けられる。
【０００４】
この構造の鞄は、図１に示すように、鞄を傾け、取手７２を引っ張って移動できる。鞄が傾斜すると、キャスター７１が床に接触し、脚７５は床から離れる。この状態で取手７２を引っ張ると、キャスター７１が回転して楽に移動できる。しかしながら、このようにして移動させる鞄は、航空機内のように狭いところや、混雑するところでは、キャスター７１を使用できないことがある。キャスター７１で走行させると、鞄の横幅が広くなって、機内の座席の間の狭い通路や、混雑するところで自由に移動できないからである。キャスター７１が使用できなくなると、鞄を手で持ち上げて移動させる必要がある。手で持ち上げて移動させるときは、横幅が広くならないように、図１の矢印Ａで示す方向に移動できる。
【０００５】
キャスター付きの鞄は、重い鞄を軽く、楽に移動させるのに便利な構造である。鞄が重くても、キャスターで楽に移動できるからである。本発明者は、このような欠点を解消するために、図２に示す構造の鞄を開発した（特許文献５参照）。この図の鞄は、キャスター８１を、ケース本体８３の底面に装着している。キャスター８１は、ケース本体８３を垂直姿勢で自立できるように、底面の四隅に設けている。取手８２の握り部８４は、ケース本体８３の上方で、その左右の中央に位置する。この構造の鞄は、図１に示す鞄のように、鞄を傾斜させて移動させるのではない。鞄を垂直に立てた姿勢で、図２の矢印で示す方向に移動させる。矢印で示す方向に移動させると、横幅を狭くして移動できる。このため、機内や混雑するところで便利に移動できる特長がある。さらに、４個のキャスター８１に、自由な方向に移動できる自在キャスターを使用するので、鞄は、垂直の姿勢で自由な方向に移動できる。垂直姿勢の鞄は、鞄の重さが取手８２に作用しない。このため、鞄が極めて重くても、押すだけで楽に移動できる。
【０００６】
この構造の鞄は、取手の握り部を押して、４個のキャスターで軽く楽に移動できる。ただ、この構造の鞄は、四隅のキャスターで自立するので、移動させない状態、たとえば電車等に載って、電車が加速したり減速するときに、移動してしまう欠点がある。この欠点は、たとえば特許文献６に記載するように、鞄本体に紐を連結して解消できる。この鞄は、鞄本体に連結している紐の端を握って移動範囲を制限できる。また、紐を連結している鞄は紐を引っ張って移動することもできる。ただ、鞄本体に伸縮取手を連結して、鞄を移動させるときに伸縮ロッドを伸長させる状態に停止して、グリップを握って移動させる鞄は、図３に示すように、鞄本体９３の上面の高さが手の位置よりも低くなるので、鞄本体９３に連結する紐９６を引っ張って鞄本体９３の移動を制限するときに、あるいは鞄本体９３を引っ張って移動するときに、相当に強い力で引っ張る必要がある。それは、図３に示すように、紐９６を引っ張る方向と、鞄本体９３を移動する方向とが一致しないからである。たとえば、図に示すように、紐９６が４５度の方向に引っ張られるとき、鞄本体９３の移動方向である水平方向の分力は、紐９６の引張力の２−１／２倍となって、約７０％に低下する。鞄を移動させる水平方向の分力が、紐の引張力とｃｏｓθの積となって、引張力の水平方向に対する傾斜角θが大きくなるにしたがって小さくなるからである。キャスター付の鞄は、重いものを軽く移動できることを特徴とすることから、重い鞄となることが多いので、これを引っ張って移動する力が大きくなり、あるいは移動範囲を制限するための引張力が強くなると、楽に使用できなくなる欠点がある。とくに、移動範囲を制限する状態にあっては、自分で引っ張って動くのではなくて、電車の加速や減速で不意に移動することから、できるかぎり弱い力で確実に移動を停止できることが大切である。
【０００７】
【特許文献１】米国特許第４９９５４８７号明細書
【特許文献２】特公平４−７６６８６号公報
【特許文献３】実開平５７−１７９８２４号
【特許文献４】実開昭６３−１３１６３４号
【特許文献５】特開平１０−１３７０２２号
【特許文献６】特開平６−２６６３２４号
【発明の開示】
【発明が解決しようとする課題】
【０００８】
本発明の第１の目的は、以上の欠点を解決すること、すなわち、紐を介して重い鞄を軽い力で引っ張って移動でき、また鞄が不意に移動するのを軽い引張力で制限して、楽に使用できるキャスター付の鞄を提供することにある。
【０００９】
さらに、鞄本体の四隅にキャスターを設けて自立させ、この姿勢で伸縮取手を引き上げる状態で上端のグリップを握って移動させる鞄は、凹凸があって路面抵抗の大きい場所では、垂直姿勢で移動させるのが難しく、倒れ易い欠点がある。この欠点はキャスターの外径を大きくして解消できる。ただ、キャスターを大きくすると、鞄全体が大きくなるので、全体の寸法に制約を受ける鞄にあっては、鞄本体を小さくする必要がある。このため、鞄本体の収納容積が減少する弊害がある。鞄は、収納容積を大きくすることが極めて大切であるから、全体の寸法が制約される用途にあっては、キャスターの外径に制約を受ける。このため、凹凸の大きい路面を移動させるときは、キャスターが路面の凹凸に引っかかってスムーズに移動できなくなる。伸縮取手を引き上げた状態で上端のグリップを押して移動させる鞄は、キャスターの路面抵抗が大きいと前方に倒れるので、スムーズに楽に移動できなくなる。
【００１０】
本発明の第２の目的は、キャスターを大きくすることなく、路面抵抗の大きい路面を安定して倒れない姿勢で、楽にスムーズに移動できるキャスター付の鞄を提供することにある。
【課題を解決するための手段】
【００１１】
本発明の請求項１のキャスター付の鞄は、底面の四隅部に自由な方向に走行可能なキャスター１を有する鞄本体３と、この鞄本体３に連結している伸縮取手２と、この伸縮取手２に連結している所定の長さの紐材からなるサブグリップ６とを備える。伸縮取手２は、鞄本体３から上方に伸びて自立し、かつ上下方向に伸縮自在で上端にはグリップ４を設けている伸縮ロッド５と、この伸縮ロッド５を伸長位置に停止させるストッパ１５とを備える。キャスター付の鞄は、伸縮取手２に連結している紐材からなるサブグリップ６を握って鞄本体３の移動範囲を制限し、あるいは鞄本体３を引っ張って移動する。
【００１２】
本発明の請求項２のキャスター付の鞄は、請求項１に記載されるキャスター付の鞄であって、サブグリップ６の紐材の全長を１０ｃｍ〜９０ｃｍとしている。
【００１３】
本発明の請求項３のキャスター付の鞄は、請求項１に記載されるキャスター付の鞄であって、サブグリップ６が、先端部に、紐材をループ状に連結してなるループ部６Ａを有している。
【００１４】
本発明の請求項４のキャスター付の鞄は、請求項１に記載されるキャスター付の鞄であって、伸縮ロッド５を鞄本体３の側面に固定している。この伸縮ロッド５は、上端のグリップ４を鞄本体３の中央に位置させる方向に傾斜し、または湾曲している。
【００１５】
本発明の請求項５のキャスター付の鞄は、請求項１に記載されるキャスター付の鞄であって、鞄本体３を載せて連結するベースフレーム７を備え、このベースフレーム７の四隅にキャスター１を連結して、側部に伸縮ロッド５を連結している。この伸縮ロッド５は、上端のグリップ４を鞄本体３の中央に位置させる方向に傾斜し、または湾曲している。
【００１６】
本発明の請求項６のキャスター付の鞄は、請求項１に記載されるキャスター付の鞄であって、伸縮取手２が、途中の引き出し位置で停止するストッパ１５を備えている。
【００１７】
本発明の請求項７のキャスター付の鞄は、底面の四隅部に自由な方向に走行可能なキャスター１を有する鞄本体３と、この鞄本体３に連結している伸縮取手２と、鞄本体３に連結している所定の長さの紐材からなるサブグリップ６とを備える。伸縮取手２は、鞄本体３から上方に伸びて自立し、かつ上下方向に伸縮自在で上端にはグリップ４を設けている伸縮ロッド５と、この伸縮ロッド５を伸長位置に停止させるストッパ１５とを備える。キャスター付の鞄は、伸縮取手２のグリップ４で鞄本体３を垂直姿勢に保持しながら、鞄本体３に連結している紐材からなるサブグリップ６を握って鞄本体３の移動範囲を制限し、あるいは鞄本体３を引っ張って移動する。
【００１８】
本発明の請求項８のキャスター付の鞄は、請求項７に記載されるキャスター付の鞄であって、サブグリップ６の紐材の全長を１０ｃｍ〜９０ｃｍとしている。
【００１９】
本発明の請求項９のキャスター付の鞄は、請求項７に記載されるキャスター付の鞄であって、サブグリップ６が、先端部に、紐材をループ状に連結してなるループ部６Ａを有している。
【００２０】
本発明の請求項１０のキャスター付の鞄は、請求項７に記載されるキャスター付の鞄であって、伸縮ロッド５を鞄本体３の側面に固定している。この伸縮ロッド５は、上端のグリップ４を鞄本体３の中央に位置させる方向に傾斜し、または湾曲している。
【００２１】
本発明の請求項１１のキャスター付の鞄は、請求項７に記載されるキャスター付の鞄であって、鞄本体３を載せて連結するベースフレーム７を備え、このベースフレーム７の四隅にキャスター１を連結して、側部に伸縮ロッド５を連結している。この伸縮ロッド５は、上端のグリップ４を鞄本体３の中央に位置させる方向に傾斜し、または湾曲している。
【００２２】
本発明の請求項１２のキャスター付の鞄は、請求項７に記載されるキャスター付の鞄であって、伸縮取手２が、途中の引き出し位置で停止するストッパ１５を備えている。
【発明の効果】
【００２３】
本発明のキャスター付の鞄は、紐を介して重い鞄を軽い力で引っ張って移動でき、また鞄が不意に移動するのを軽い引張力で制限して、楽に使用できる特徴がある。それは、本発明の鞄が、伸縮取手に紐のサブグリップを連結し、このサブグリップを手で握って、鞄本体を引っ張って移動させ、あるいは移動範囲を制限するので、伸縮取手を伸縮することで、サブグリップである紐の引っ張り方向を、鞄本体の移動方向である水平方向に合わせられるからである。鞄本体を移動方向である水平方向に引っ張るサブグリップは、引張力が鞄本体の移動に効果的に使用でき、重い鞄本体をも軽くスムーズに引っ張って移動でき、また電車等においては、鞄本体が移動するのを軽く阻止できる特徴がある。とくに、本発明の鞄は、紐のサブグリップを上下に伸縮できる伸縮取手に連結するので、サブグリップを引っ張る高さに伸縮ロッドを伸縮して調整できる。このため、サブグリップが鞄本体を引っ張る高さが変化しても、伸縮ロッドを伸縮させて、引張力を鞄本体の移動方向である水平方向に調整できる。たとえば、背の高い人が立った状態で使用するときは、サブグリップを引っ張る手の位置が高くなるので、伸縮ロッドを伸長させてサブグリップの位置を高くして楽に引っ張ることができる。また背の低い人が使用するときには、伸縮ロッドを調整してサブグリップの位置を最適な位置として楽に引っ張ることができる。さらにまた、電車やバス等では、シートに座ることもあるが、この場合においても、伸縮ロッドを収縮させてサブグリップの連結部分を最適な高さとすることにより、最も理想的に鞄の移動を制限できる。以上のように、サブグリップが鞄本体を引っ張る高さが変化しても、常にサブグリップでもって、鞄本体の移動方向である水平方向として、軽く弱い力で重い鞄本体を移動でき、また移動を阻止できる。
【００２４】
本発明の請求項３と請求項９のキャスター付の鞄は、サブグリップが、先端部に、紐をループ状に連結してなるループ部を備えているので、このループ部を手で握って、あるいは、このループ部に手を挿通して、簡単かつ楽に、しかも、しっかりとサブグリップを保持することができる。
【００２５】
また、本発明の請求項４と請求項５のキャスター付の鞄は、グリップが鞄本体の中央に位置する方向に伸縮ロッドを傾斜させ、あるいは湾曲させるので、グリップに紐材のサブグリップを連結してこれを引っ張ることにより、鞄本体を引張方向にスムーズに移動できる。
【００２６】
さらに、本発明の請求項６のキャスター付の鞄は、伸縮取手が途中の引き出し位置で停止するストッパを備えるので、サブグリップの引張方向が水平方向となるように伸縮ロッドの長さを調整して、その位置に停止して、鞄本体を引っ張って移動できる。この鞄は、サブグリップの引張力を水平方向に調整して鞄本体を引っ張るとき、伸縮ロッドの長さが変化せず、サブグリップの引張方向を常に水平方向に保持して、鞄本体を軽くスムーズに移動できる。
【００２７】
さらにまた、本発明の請求項７のキャスター付の鞄は、キャスターを大きくすることなく、路面抵抗の大きい路面を安定して倒れない姿勢で、楽にスムーズに移動できる極めて優れた特徴を実現する。それは、この鞄が、伸縮取手のグリップを握って鞄本体を倒れない姿勢に保持しながら、鞄本体に連結している紐のサブグリップを引っ張って鞄本体を移動できるからである。この移動状態は、たとえば、図１６で示すように、左手で伸縮取手２のグリップ４を握り、右手で紐材のサブグリップ６を引っ張って鞄本体３を移動する状態となる。このとき、伸縮取手２のグリップ４を握る左手と、サブグリップ６の右手の両方で鞄本体３を移動させることもできる。この状態で移動される鞄は、鞄本体３が倒れるのを伸縮取手２のグリップ４で確実に阻止しながら、サブグリップ６でもって鞄本体３を多少は上向きに引っ張って移動させる。鞄本体３を上向きに引っ張るサブグリップ６は、引張力の全てを鞄本体３の移動に利用できない。ただ、凹凸が大きくてスムーズに移動できない路面抵抗の大きい場所では、鞄本体を上向きに引き上げながら移動することで、キャスターが路面の凹凸を越える状態でスムーズに移動できる。ただ、この状態で凹凸の大きい路面に移動される鞄本体は、倒れやすくなるが、伸縮取手のグリップを握って倒れないように保持されるので、倒れることなく、凹凸の大きい路面をも楽に移動できる特徴がある。
【発明を実施するための最良の形態】
【００２８】
以下、本発明の実施例を図面に基づいて説明する。ただし、以下に示す実施例は、本発明の技術思想を具体化するための鞄を例示するものであって、本発明は鞄を以下のものに特定しない。
【００２９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００３０】
図４ないし図１０に示す鞄は、底面の四隅部に自由な方向に走行可能なキャスター１を有する鞄本体３と、この鞄本体３に連結している伸縮取手２と、伸縮取手２または鞄本体３に連結している所定の長さの紐材からなるサブグリップ６とを備える。鞄本体３の底面の四隅部に設けたキャスター１は、自由な方向に走行可能な首振り式のキャスターである。この鞄は、四隅のキャスター１で鞄本体３を自立させる状態として、伸縮取手２を押して、あるいは伸縮取手２を引いて、自由な方向に移動できる。
【００３１】
図４ないし図７に示す鞄は、鞄本体４の底面の四隅部にキャスター１を固定している。図８ないし図１０に示す鞄は、底面の四隅部にキャスター１を設けているベースフレーム７を備え、このベースフレーム７に鞄本体３を載せて、鞄本体４の底面の四隅部にキャスター１を配置している。図８ないし図１０の鞄は、鞄本体３を脱着できるようにベースフレーム７に装着している。この鞄は、鞄本体３を簡単に交換できる特長がある。ただ、鞄本体は、脱着できないようにベースフレームに固定することもできる。
【００３２】
鞄本体３は、充分な強度を有する硬質材、例えば、ＡＢＳ樹脂等の硬質プラスチック、繊維材をバインダーで硬化結合して成形したもの、耐水性の硬い紙の表面に塗料を塗布したもの、アルミニウム等の金属で製作することも、可撓性のシート等の軟質材で製作することも、あるいはまた、これらを組み合わせて製作することもできる。可撓性のシートで製作される鞄本体は、内側に補強枠材を配設して保形することができる。ただ、可撓性のシート等の軟質材で製作される鞄本体は、必ずしも補強剤で補強する必要はなく、鞄全体が可撓性を有する構造とすることもできる。この鞄本体は、たとえば、ベースフレームに連結して使用する。
【００３３】
図に示す鞄本体３は、本体部３Ａと、蓋体３Ｂとからなる。蓋体３Ｂは、開閉できるように本体部３Ａに連結されている。本体部３Ａと蓋体３Ｂからなる鞄本体３は、図４、図５、図８ないし図１０に示すように、片面に開閉できる蓋体３Ｂを有する構造とすることも、図６に示すように、両面に開閉できる蓋体３Ｂを有する構造とすることも、あるいは、図７に示すように、中間部分で展開できる構造とすることもできる。鞄本体３は、本体部３Ａや蓋体３Ｂの表面に、ポケットを設けて便利に使用できる。
【００３４】
伸縮取手２は、鞄本体３から上方に伸びて自立し、かつ上下方向に伸縮自在な伸縮ロッド５を備える。伸縮取手２は、伸縮ロッド５の上端にグリップ４を設けている。さらに、伸縮取手２は、伸縮ロッド５を伸長位置に停止させるストッパを備えている。
【００３５】
伸縮取手２は、鞄本体３に連結している。図４ないし図７に示す伸縮取手２は、伸縮ロッド５を収縮した状態で、鞄本体３に収納できるように、伸縮ロッド５の下部を鞄本体３の内部に配設して、グリップ４を鞄本体３の上面に配置している。とくに、図４ないし図６に示す鞄本体３は、収納された伸縮取手２のグリップ４を掴みやすいように、鞄本体３の上面に挿入凹部１４を設けており、この挿入凹部１４にグリップ４を収納するようにしている。
【００３６】
さらに、図８ないし図１０に示す鞄は、伸縮取手２を、ベースフレーム７の側部に自立姿勢で固定している。これらの図のベースフレーム７は、プラスチックを成形して製作している。ベースフレーム７は、四隅部にキャスター１を設けて、上に鞄本体３を装着している載せ台８を備えており、この載せ台８の側部に伸縮ロッド５を自立するように固定している。このように、載せ台８の側部に伸縮ロッド５を配置する構造は、載せ台８の上面のほぼ全面に鞄本体３を配置できるので、載せ台８に装着する鞄本体３の底面を広くできる特長がある。図のベースフレーム７は、載せ台８の上面であって、伸縮ロッド５に隣接して鞄本体３を装着している。
【００３７】
図８に示すベースフレーム７は、長方形の載せ台８の長辺となる側部の両端に一対の伸縮ロッド５を固定している。図８のベースフレーム７は、載せ台８の隅部に固定される伸縮ロッド５を補強壁９で補強している。補強壁９は、載せ台８の両端縁に沿って設けられた壁で、伸縮ロッド５と載せ台８とを連結して、伸縮ロッド５を倒れないように載せ台８に連結する。補強壁９は、プラスチック製の載せ台８に一体的に成形して設けている。このベースフレーム７は、伸縮ロッド５と補強壁９で囲まれる部分に鞄本体３を装着している。
【００３８】
図９と図１０に示すベースフレーム７は、長方形の載せ台８の長辺となる側部の中央に一対の伸縮ロッド５を固定している。このベースフレーム７は、伸縮ロッド５を挿通して連結する支持筒１０を、プラスチック製の載せ台８に一体的に成形して設けている。図のベースフレーム７は、載せ台８の側部に２本の支持筒１０を設けて、各々の支持筒１０に伸縮ロッド５を挿通して連結している。さらに、図に示すベースフレーム７は、支持筒１０を載せ台８の下面から突出して設けており、この突出部に補強壁１１を一体的に成形して設けている。補強壁１１は、支持筒１０と載せ台８の下面に連結している。補強壁１１は、載せ台８の四隅の下面にキャスター１を設けることによってできるキャスター間のスペースを有効利用して設けている。さらに、ベースフレーム７は、キャスター１で持ち上げられて、載せ台８の下面にできるスペースを有効利用して、支持筒１０と補強壁１１とを設けている。
【００３９】
伸縮取手２は、鞄をキャスター１で移動させるときに上方に引き出される。鞄をキャスター１で移動させないとき、伸縮取手２は収縮して押し込まれる。伸縮取手２のグリップ４は、伸縮ロッド５を介して鞄本体３に伸縮自在に連結される。図４、図５、図７ないし図１０に示す伸縮取手２は、鞄本体３の片側（図において右側）に配設して、伸縮取手２を伸長させて引き上げると、伸縮ロッド５の上端のグリップ４が片側から中央に向かって移動するように配設している。図に示すように、伸縮ロッド５を鞄本体３の片側に固定する場合、鞄本体３の中央とは、左右方向の中心を意味するものとする。
【００４０】
図４及び図７ないし図９に示す伸縮取手２は、グリップ４が引き上げられて伸縮ロッド５が伸長されると、鞄本体３の片側から中央に向かってグリップ４を移動させるように伸縮ロッド５を湾曲させている。これらの図の鞄は、鞄本体３の右側に伸縮ロッド５を固定しているので、伸縮取手２が引き上げられると、グリップ４を鞄本体３の右側から左側に向かって移動させるように、伸縮ロッド５を湾曲させている。いいかえると、伸縮ロッド５は、中央部が外側に突出する方向に湾曲されて、引き上げられたグリップ４を、鞄本体３の側部から中央に接近する方向に移動させるようにしている。
【００４１】
さらに、図５と図１０の伸縮取手２は、グリップ４が引き上げられて伸縮ロッド５が伸長されると、鞄本体３の片側から中央に向かってグリップ４を移動させるように伸縮ロッド５を傾斜させている。図５の鞄は、鞄本体３の右側に伸縮ロッド５を固定しているので、引き上げられるグリップ４が鞄本体３の右側から左側に向かって移動するように、伸縮ロッド５を傾斜させている。さらに、図１０に示す鞄は、ベースフレーム７の片側に固定される伸縮ロッド５を、引き上げられるグリップ４が載せ台８の右側から左側に向かって移動するように、伸縮ロッド５を傾斜させている。
【００４２】
以上のように、伸縮ロッド５が上端のグリップ４を鞄本体３の中央に位置させるように方向に傾斜し、あるいは湾曲する伸縮取手２は、グリップ４を引き上げた状態で、必ずしもグリップが鞄本体の中央に位置する必要はない。それは、グリップが完全に中央になくても、グリップを押して鞄を曲がらないように前方に移動できるからである。引き上げられたグリップ４の位置は、図において、伸縮ロッド５を配設している鞄本体の一方の端面を基準の０点とし、反対側の端面を１００とすれば、たとえば、１５〜８０％の位置、好ましくは２０〜６０％、さらに好ましくは２０〜５０％の位置である。
【００４３】
さらに、図示しないが、鞄は、湾曲する伸縮ロッドを傾斜して鞄本体の片側に固定して、グリップを引き上げて、鞄本体の片側から中央に向かって移動させることもできる。この鞄は、湾曲する曲率半径を大きくすると共に、傾斜角を直角に近くして、グリップを引き上げて鞄本体の中央に接近できる。それは、傾斜させることと湾曲させることの両方で、引き上げたグリップを鞄本体の側部から中央に移動できるからである。
【００４４】
さらに、図６に示す伸縮取手２は、グリップ４を鞄本体３の上面の中央に配置している。この伸縮取手２は、鞄本体３の中央に、直線状の伸縮ロッド５を垂直に固定している。この鞄も、グリップ４を引き上げた状態で、グリップ４を鞄本体３の中央に配置できる。
【００４５】
以上の鞄は、伸縮取手２を引き上げた状態で、グリップ４が鞄本体３の中央に位置するので、グリップ４を握って鞄をスムーズに移動できる特徴がある。さらに、後述するが、伸縮取手にサブグリップを連結する鞄においては、サブグリップを引っ張ることにより、鞄本体を引張方向にスムーズに移動できる特徴がある。
【００４６】
ただ、本発明の鞄は、伸縮取手を引き上げた状態で、必ずしもグリップが鞄本体の中央に位置するように伸縮ロッドを湾曲させ、あるいは傾斜させ、あるいはまた、鞄本体の中央に伸縮ロッドを配設する必要はない。伸縮取手は、図示しないが、鞄本体の片側に、直線状の伸縮ロッドを垂直に固定することもできる。
【００４７】
伸縮ロッド５は、収縮状態、いいかえるとグリップ４を最も押し下げた状態では、グリップ４が鞄本体３の上部ないし上方に位置してストッパで停止される。伸縮ロッド５は、収縮されてグリップ４を最も低くする位置で、キャスター１の底面からグリップ４の上面までの距離を約５０ｃｍとする。ただし、伸縮ロッドは、収縮されてグリップを最も低くする位置で、キャスターの底面からグリップの上面までの距離を、好ましくは３０〜８０ｃｍ、さらに好ましくは３５〜７０ｃｍとすることもできる。伸縮ロッド５を収縮してグリップ４を最も低くする状態で、グリップ４を掴みやすいように、鞄本体３をグリップ４よりも低くする。伸縮ロッド５は、伸長状態、いいかえるとグリップ４を最も高く引き上げた状態では、キャスター１の底面からグリップ４の中心までの高さが６０〜１００ｃｍ、好ましくは６５〜８５ｃｍとなる位置でストッパで停止される。
【００４８】
伸縮ロッド５は、鞄本体３またはベースフレーム７に、上下方向に配設しているガイド筒５Ｂと、このガイド筒５Ｂに出し入れできるように挿入している引出ロッド５Ａとを備え、引出ロッド５Ａの上端にグリップ４を固定している。図４、図５、及び図７に示す鞄は鞄本体３の片側に、図６に示す鞄は鞄本体３の中央に、図８ないし図１０に示す鞄は鞄本体３の片側であってベースフレーム７の側部に、それぞれガイド筒５Ｂを固定している。ガイド筒５Ｂと引出ロッド５Ａは、太さの異なる金属筒とすることができる。ただし、ガイド筒と引出ロッドは、プラスチックを角筒状に成形して製作することもできる。
【００４９】
図４ないし図７、図９、及び図１０に示す伸縮ロッド５は、ガイド筒５Ｂに出し入れできるように挿入している２段の引出ロッド５Ａを備える。２段の引出ロッド５Ａは、上段の引出ロッド５Ａａを下段の引出ロッド５Ａｂよりも細くして、上段の引出ロッド５Ａａを下段の引出ロッド５Ａｂに出し入れできるように挿通している。さらに、伸縮ロッド５は、下段の引出ロッド５Ａｂをガイド筒５Ｂよりも細くして、下段の引出ロッド５Ａｂをガイド筒５Ｂに出し入れできるように挿通している。これらの図の伸縮ロッド５は、２段に伸縮できる構造としている。ただ、伸縮ロッド５は、図８に示すように、ガイド筒５Ｂに出し入れできる１段の引出ロッド５Ａを備えて、１段の伸縮構造とすることも、あるいは、図示しないが、３段以上に伸縮できる構造とすることもできる。
【００５０】
以上の図に示す鞄は、鞄本体３の片側あるいは中央に２本の伸縮ロッド５を配置して、２本の伸縮ロッド５の上端にグリップ４を連結している。図８ないし図１０に示す伸縮取手２は、２本のガイド筒５Ｂの上端を連結ロッド１２で連結している。これらの図の伸縮取手２は、ガイド筒５Ｂの下端を載せ台８に固定して、上端部分を連結ロッド１２で連結している。このように、ガイド筒５Ｂの上端を連結ロッド１２で連結する構造は、２本の伸縮ロッド５を補強して、より安定して自立できる。さらに、図９の鎖線で示すように、最も降下したグリップ４と連結ロッド１２との間には、手を入れる挿入隙間１３を設けている。降下したグリップ４を掴みやすくするためである。図のグリップ４は、プラスチックで全体をコ字状に成形して、両端の折曲部分を引出ロッド５Ａに連結して、挿入隙間１３を設けている。
【００５１】
ストッパは、伸縮ロッドの伸縮を停止できる全ての機構を利用できる。ストッパは、好ましくは、伸縮取手を途中の引き出し位置で停止できる構造とする。この構造のストッパを備える伸縮取手は、グリップの位置を好適に選択しながら伸縮ロッドの伸縮を停止できるからである。伸縮取手のストッパの詳細な構造については後述する。
【００５２】
サブグリップ６は、所定の長さの紐材で、伸縮取手２または鞄本体３に連結している。伸縮取手２に連結されるサブグリップ６は、図４ないし図１０に示すようにグリップ４に連結し、あるいは伸縮ロッドに連結する。グリップ４に連結するサブグリップ６は、好ましくは、グリップ４の端部に連結する。それは、サブグリップ６を引っ張って、鞄本体３を引張方向にスムーズに移動できるからである。図に示すグリップ４は、端部にサブグリップ６を連結する連結部４０を設けている。連結部４０は、たとえば、図４と図１１に示すように貫通孔４０Ａとすることができる。図に示す貫通孔４０Ａは、グリップ４の上面と端面とを連通して開口している。ただ、グリップ４に設ける貫通孔４０Ａは、図７と図８に示すように、グリップ４の両側面を貫通して設けることもできる。貫通孔４０Ａである連結部４０は、最も簡単に設けることができる。さらに、連結部４０は、図１２と図１３に示すように、グリップ４に設けた連結具４０Ｂ、４０Ｃとすることもできる。図１２に示す連結具は、グリップ４に設けた貫通孔４０Ａに挿通したリング部材である。さらに、図１３に示す連結具４０Ｃは、グリップ４に固定したリング部材である。グリップ４に固定するリング部材は、グリップ４に埋設し、あるいはネジ止めし、あるいは接着して所定の位置に固定できる。
【００５３】
グリップ４の端部に設ける連結部４０は、好ましくは、グリップ４の両端部に設ける。それは、鞄を使用するユーザーの利き手や得手によって鞄を引っ張る方向が異なるからである。たとえば、図４において、矢印Ａで示す方向に伸縮取手２を引っ張る場合には、図においてグリップ４の左下側の端部に設けた連結部４０にサブグリップ６を連結し、矢印Ｂで示す方向に伸縮取手２を引っ張る場合には、図においてグリップ４の右上側の端部に設けた連結部４０にサブグリップ６を連結する。以上の図に示す連結部４０は、グリップ４の端部に設けているが、連結部は、グリップの中央部に設けることもできる。
【００５４】
また、伸縮ロッド５に連結するサブグリップ６は、図１４に示すように、伸縮ロッド５に巻き付ける状態で連結することができる。図に示すサブグリップ６は、連結側の先端部に連結部材４６を備えている。図の連結部材４６は、細い線材をループ状に連結してなる連結ループ部４６Ａである。図のサブグリップ６は、この連結ループ部４６Ａを伸縮ロッド５の周囲に沿って巻くと共に、巻いた連結ループ部４６Ａの先端部にサブグリップ６の本体部分を挿通して引っ張って、線材である連結部材４６を伸縮ロッド５に巻き付けて連結している。この連結構造は、サブグリップ６を簡単かつ容易に伸縮ロッド５に連結できる特長がある。さらに、図に示す連結構造で、サブグリップをグリップに連結することもできる。ただ、サブグリップは、伸縮ロッドに貫通孔や連結具等の連結部を設けて、この連結部を介して連結することもできる。このように、伸縮ロッド５にサブグリップ６を連結する構造は、実質的にはグリップの端部にサブグリップを連結するときと同様に、サブグリップ６を引っ張って、鞄本体を引張方向にスムーズに移動できると共に、鞄本体の移動を制限できる特長がある。
【００５５】
さらに、鞄本体３に連結されるサブグリップ６は、図４ないし図１０の鎖線で示すように本体部３Ａに連結する。鞄本体３に連結するサブグリップ６は、好ましくは、本体部３Ａの前後方向（図４において矢印Ａ、Ｂで示す方向）の端部であって、上部に連結する。すなわち、鞄本体３の上側両端部のコーナー部の近傍に連結する。これらの図に示す鞄本体３は、上側両端のコーナー部にサブグリップ６を連結する連結部４１を設けている。連結部４１は、好ましくは、鞄本体３の左右の中央に設ける。サブグリップ６を引っ張って鞄を移動しやすくするためである。連結部４１は、たとえば、本体部３Ａに固定した連結具４１Ａとすることができる。図４ないし図６に示す連結部４１は、連結具４１Ａを、金属製あるいはプラスチック製のリング部材として、連結片４２を介して鞄本体３の表面に連結している。図７に示す連結部４１は、鞄本体３に一体的に成形した連結凸部４１Ｂとしている。さらに、図８ないし図１０に示す連結部４１は、布地や紐で形成したループ部４１Ｃとして、連結片４２を介して鞄本体３に連結している。これらの連結部４１にサブグリップ６の連結端を連結してサブグリップ６を鞄本体３に連結している。鞄本体３に設ける連結部４１も、好ましくは、鞄本体３の前後の両側に設ける。それは、前述のように、鞄を使用するユーザーの利き手や得手によって鞄を引っ張る方向が異なるからである。たとえば、図４において、矢印Ａで示す方向に鞄本体３を引っ張る場合には、図において左下側の端部に設けた連結部４１にサブグリップ６を連結し、矢印Ｂで示す方向に鞄本体３を引っ張る場合には、図において右上側の端部に設けた連結部（図示せず）にサブグリップを連結する。
【００５６】
ただ、鞄本体は、必ずしも専用の連結部を設ける必要はない。たとえば、図に示す鞄本体３は、伸縮取手２のグリップ４以外にも、鞄本体３を手で持ち運ぶことができるグリップ部４３を鞄本体３の上面あるいは端面に設けている。このグリップ部４３をサブグリップ６の連結部とすることもできる。たとえば、図４ないし図６に示す鞄のグリップ部４３は、握り部４４の両端を連結リング４５を介して鞄本体３に連結している。この連結リング４５をサブグリップ６の連結部に併用して連結リング４５にサブグリップ６を連結することもできる。図に示す鞄本体３は、上面と端面の両方にグリップ部４３を設けている。したがって、この鞄は、鞄本体３の上面のグリップ部４３の連結リング４５にサブグリップを連結し、あるいは、端面に位置するグリップ部４３の上方の連結リング４５にサブグリップ６を連結して使用できる。ただ、サブグリップは、グリップ部の握り部に連結することもできる。
【００５７】
さらに、本発明の鞄は、伸縮取手や鞄本体に設ける連結部を以上の構造に特定しない。本発明は、サブグリップを連結できる種々の形状や構造の連結部を伸縮取手や鞄本体に設けることができる。
【００５８】
サブグリップ６は、好ましくは、脱着自在に伸縮取手２または鞄本体３に連結される。ただ、サブグリップは、脱着できないように伸縮取手または鞄本体に固定することもできる。図に示すサブグリップ６は、伸縮取手２または鞄本体３に、脱着自在に連結するために、連結端に連結部材４６を備えている。図４ないし図１１、及び図１４に示すサブグリップ６は、先端部に細い線材をループ状に連結してなる連結ループ部４６Ａを設けており、この連結ループ部４６Ａを伸縮取手２のグリップ４または伸縮ロッド５に連結している。この連結部材４６は、貫通部またはリング部である連結部４０に挿通された連結ループ部４６Ａの先端にサブグリップ６の本体部分を挿通して、あるいは、図１４に示すように、連結ループ部４６Ａを伸縮ロッド５の周囲に沿って巻くと共に、巻いた連結ループ部４６Ａの先端部の内側にサブグリップ６の本体部分を挿通して引っ張って、線材である連結部材４６を簡単に伸縮取手２に連結できる。図に示すサブグリップ６は、線材である連結部材４６を伸縮取手２に連結しているが、線材である連結部材を鞄本体の連結部に連結することもできる。
【００５９】
さらに、連結部材４６は、図１２や図１３に示すように、脱着連結具４６Ｂとすることもできる。図に示す脱着連結具４６Ｂは、開閉できるフック部または脱着できるリング部を有し、このフック部またはリング部を伸縮取手２または鞄本体３の連結部４０、４１に挿通して連結する構造としている。脱着連結具４６Ｂが連結される伸縮取手２または鞄本体３の連結部４０、４１は、たとえば、図に示すように、伸縮取手２のグリップ４に設けた連結具４０Ｂ、４０Ｃとし、あるいは、鞄本体３の本体部３Ａに設けた連結具４１Ａ、連結凸部４１Ｂ、またはループ部４１Ｃとすることができる。脱着連結具４６Ｂを有するサブグリップ６は、簡単に脱着できる特長がある。
【００６０】
サブグリップ６の紐材は、伸縮取手２または鞄本体３に連結した状態で、離れた位置から引っ張って移動でき、または、移動を制限できる所定の長さと強度を有する。サブグリップ６の紐材は、全長を１０ｃｍ〜９０ｃｍとすることができる。伸縮取手２のグリップ４に連結する紐材は、図１５と図１６に示すように、伸縮ロッド５でグリップ４の停止位置を上下に変更することにより、サブグリップ６の連結位置を手の高さに接近できるので、全長を１０ｃｍないし５０ｃｍとして便利に使用できる。また、鞄本体３に連結する紐材は、図１７に示すように、グリップ４を最も伸長させた状態で使用して、鞄本体３を引っ張ることができるように、立った状態における手の位置までの長さとなるように、全長を２０ｃｍ〜９０ｃｍとして便利に使用できる。
【００６１】
サブグリップ６の紐材には、たとえば、天然繊維や合成繊維を紐状に編んだもの、または紐状や帯状に織ったものが使用できる。天然繊維には、綿等の植物繊維や絹等の動物繊維が使用できる。合成繊維には、高分子化合物を紡糸した繊維、たとえば、ポリエステル、ポリアミド、アクリル繊維等が使用できる。ポリエステル等の合成繊維を紐状に編み、または紐状や帯状に織った紐材は、手触りが良く、強度も強く、また製造コストを低減できるので安価に大量生産できる特長がある。とくに、合成繊維を袋織りした組紐は、丈夫で引っ張りに対しても強く、また、伸縮性もあるのでサブグリップの紐材として好適に使用できる。
【００６２】
ただ、サブグリップ６の紐材には、これら以外のもの、たとえば、金属製またはプラスチック製のリングを多数連結してなる鎖、あるいは、プラスチックや布、革等を細長い可撓性のある帯状に成形したテープやベルト、あるいはまた、プラスチックを可撓性のある線状に成形した線材等も使用できる。したがって、本明細書において、紐材とは、プラスチック繊維や糸、布、紙、革等を編んで、あるいは織って紐状としたものだけでなく、細長い帯状のテープやベルト、鎖、線材等を等を含む広い意味で使用する。
【００６３】
サブグリップ６は、連結端を伸縮取手２または鞄本体３に連結すると共に、反対側の端部を握って鞄本体３の移動を制限し、あるいは、鞄本体３を引っ張って移動する。図に示すサブグリップ６は、連結端と反対側の端部に、紐材をループ状に連結してなるループ部６Ａを設けている。このサブグリップ６は、ループ部６Ａを握って、あるいは、このループ部６Ａに手を挿通して、簡単かつ楽に、しかも、しっかりとサブグリップ６を保持することができる。
【００６４】
以上の構造の鞄は、以下のようにしてサブグリップ６を使用する。伸縮取手２のグリップ４にサブグリップ６を連結してなる鞄は、ユーザーの使用状態に応じてグリップ４の高さを調整できるので、サブグリップ６である紐材の引っ張り方向を、鞄本体３の移動方向である水平方向に合わせる状態で配置できる。たとえば、図１５に示すように、ユーザーが立った状態では、伸縮取手２の伸縮ロッド５を伸長させてグリップ４の位置を手の高さに調整し、サブグリップ６の引っ張り方向が水平な方向となるようにする。この鞄は、たとえば、背の高い人の場合には、グリップ４を高い位置まで引き出して、背の低い人の場合には、グリップ４を低い位置まで押し込んで、サブグリップ６の連結位置を最も手の位置に近づけることができる。手の位置に近いサブグリップ６は、最も楽な姿勢で手で持つことができると共に、最も少ない力で鞄の移動を制限でき、また、鞄を引っ張って移動できる。さらに、図１６に示すようにユーザーがシート等に座った状態では、伸縮取手２の伸縮ロッド５を収縮させてグリップ４の位置を座った状態の手の高さに調整し、サブグリップ６の引っ張り方向が水平な方向となるようにして、最も楽な姿勢でサブグリップを持つことができると共に、最も少ない力で鞄の移動を制限できる。このように、上下に伸縮できる伸縮取手２のグリップ４にサブグリップ６を連結する構造は、グリップ４の位置を最適な高さとしながら最も少ない力で鞄を移動でき、また、移動を制限できる状態に保持できる。
【００６５】
さらに、鞄本体３にサブグリップ６を連結してなる鞄は、図１７に示すようにして使用する。この図は、左手で伸縮取手２のグリップ４を握り、右手で紐材のサブグリップ６を引っ張って鞄本体３を移動する状態を示している。この移動状態では、伸縮取手２のグリップ４を握る左手と、サブグリップ６の右手の両方で鞄本体３を移動させることができる。このため、鞄本体３が倒れるのを伸縮取手２のグリップ４で確実に阻止しながら、サブグリップ６でもって鞄本体３を上向きに引っ張って移動させて、段差のある路面等を安定して倒れない姿勢で、楽にスムーズに移動できる。
【００６６】
さらに、サブグリップを伸縮取手や鞄本体に脱着自在に連結できる鞄は、その用途に応じて、サブグリップの連結位置を変更して、理想的に使用できる。すなわち、伸縮取手に連結する状態では、最も少ない力で鞄本体の移動を制限し、あるいは鞄本体を引っ張って移動させ、また、鞄本体に連結する状態では、凹凸の大きい路面を、倒れないように保持しながら楽に移動できる。
【００６７】
以下、伸縮取手のストッパの一例を図面に基づいて説明する。図１８ないし図２０に示す伸縮ロッド５は、２段の引出ロッド５Ａを伸縮できる構造としているので、上下に２つのストッパ１５を備えている。第１ストッパ１５Ａは、上段の引出ロッド５Ａａと下段の引出ロッド５Ａｂの伸縮を停止する。第２ストッパ１５Ｂは、下段の引出ロッド５Ａｂとガイド筒５Ｂの伸長を停止する。さらに、下段の引出ロッド５Ａｂとガイド筒５Ｂの収縮は、第１ストッパ１５Ａで停止する。
【００６８】
第１ストッパ１５Ａは、上段の引出ロッド５Ａａの下端部に配設されて、下段の引出ロッド５Ａｂに向かって弾性的に突出する突出ピン１６と、下段の引出ロッド５Ａｂに設けられて、突出ピン１６が挿入される係止部１７と、突出ピン１６を係止部１７から強制的に引き抜く第１解除機構１８とを備える。第２ストッパ１５Ｂは、下段の引出ロッド５Ａｂの下端部に配設されて、ガイド筒５Ｂに向かって弾性的に突出する突出ピン３６と、ガイド筒５Ｂに設けられて、突出ピン３６が挿入される係止部３７と、突出ピン３６を係止部３７から強制的に引き抜く第２解除機構３８とを備える。
【００６９】
突出ピン１６は、上段の引出ロッド５Ａａの下端部の内部に、引出ロッド５Ａの外周方向に弾性的に突出するように、弾性部材１９を介して配設されている。突出ピン３６は、下段の引出ロッド５Ａｂの下端部の内部に、引出ロッド５Ａの外周方向に弾性的に突出するように、弾性部材３９を介して配設されている。これらの突出ピン１６、３６は、弾性部材１９、３９に押圧されて引出ロッド５Ａから弾性的に突出する。突出ピン１６、３６は、互いに反対方向に突出するように引出ロッド５Ａに配置している。図の伸縮ロッド５は、突出ピン１６を内側に、すなわち対向する伸縮ロッド５の方向へ突出させて、突出ピン３６を外側に、すなわち対向する伸縮ロッド５と反対の方向へ突出させている。
【００７０】
係止部１７、３７は、突出ピン１６、３６が挿入される貫通孔または凹部である。図に示す下段の引出ロッド５Ａｂとガイド筒５Ｂは、突出ピン１６、３６を挿入させる貫通孔を開口して係止部１７、３７としている。このように、係止部１７、３７を貫通孔とする構造は、ここに挿入される突出ピン１６、３６を貫通孔に貫通して突出させて、伸縮ロッド５を確実に停止できる特長がある。このことは、とくに、伸縮ロッド５を杖代わりに使用して、いいかえるとグリップ４に体重をかける姿勢として体を支えるときに極めて安全に使用できる。それは、突出ピン１６、３６が不意に係止部１７、３７から外れて、伸縮ロッド５が押し込まれるのを有効に防止できるからである。また、グリップ４を持って鞄全体を持ち上げるときにも、伸縮ロッド５が不意に引き出されるのを防止できる特長もある。このように、引出ロッド５Ａの位置を確実に固定できるストッパ１５は、グリップ４を上昇位置とする場合においても、また降下位置とする場合においても、極めて安全に使用できる特長がある。ただ、係止部は、突出ピンの先端部を挿入させる凹部とすることもできる。
【００７１】
下段の引出ロッド５Ａｂに設けられる係止部１７は、図示しないが、上段の引出ロッド５Ａａを最も引き上げた状態と、中間まで引き上げた状態と、最も降下させた状態とで突出ピン１６を挿入する複数の位置に設けている。上段の引出ロッド５Ａａが最も引き上げられた状態では、最も上の係止部１７に突出ピン１６が挿入され、上段の引出ロッド５Ａａが最も降下された状態では、最も下の係止部１７に突出ピン１６が挿入され、さらに、上段の引出ロッド５Ａａが中間まで引き上げられた状態では、突出ピン１６が中間の係止部１７に挿入されて上段の引出ロッド５Ａａの伸縮が停止される。このように、下段の引出ロッド５Ａｂの中間に係止部１７を設けた伸縮ロッド５は、複数の段階に分けて上段の引出ロッド５Ａａを伸縮できる特長がある。とくに、下段の引出ロッド５Ａｂの中間に複数の係止部１７を設ける伸縮ロッド５は、中間まで引き上げた上段の引出ロッド５Ａａを複数の引き上げ位置で停止できるので、グリップ４の位置を少しずつ上下させて最適な位置を選択できる特長がある。ただ、上段の引出ロッドは、必ずしも中間位置で停止できる構造とする必要はなく、上昇位置と降下位置にのみ停止させることもできる。
【００７２】
ガイド筒５Ｂに設けられた係止部３７は、下段の引出ロッド５Ａｂを最も引き上げた状態で突出ピン３６を挿入する位置に設けている。下段の引出ロッド５Ａｂが最も引き上げられた状態で、係止部３７に突出ピン３６が挿入されて下段の引出ロッド５Ａｂの伸長が停止される。さらに、ガイド筒は、下段の引出ロッドを中間まで引き上げた状態で突出ピンを挿入する位置に複数の係止部を設けることもできる。この伸縮ロッドも、中間まで引き上げた下段の引出ロッドを複数の引き上げ位置で停止できるので、グリップの位置を少しずつ上下させて最適な位置を選択できる特長がある。
【００７３】
さらに、ガイド筒５Ｂは、図１９に示すように、上段の引出ロッド５Ａａと下段の引出ロッド５Ａｂを最も降下した状態で、突出ピン１６を挿入する係止部３０を設けている。係止部３０は、降下位置にある下段の引出ロッド５Ａｂの最も下の係止部１７を貫通する突出ピン１６を挿入する位置に設けている。すなわち、この伸縮ロッド５は、上段の引出ロッド５Ａａと下段の引出ロッド５Ａｂを最も降下させた状態で、下段の引出ロッド５Ａｂの係止部１７とガイド筒５Ｂの内側の係止部３０とに突出ピン１６を挿入して伸縮ロッド５を最も収縮した状態で停止させる。このように、ガイド筒５Ｂの外側に設けた係止部３７に突出ピン３６が挿入されて、下段の引出ロッド５Ａｂの伸長が停止され、ガイド筒５Ｂの内側に設けた係止部３０に突出ピン１６が挿入されて、下段の引出ロッド５Ａｂの収縮が停止される。
【００７４】
第１解除機構１８は、図２０に示すように、グリップ４に設けている押しボタン２０と、この押しボタン２０に連結されて、押しボタン２０で上下に移動される駆動ロッド２１と、駆動ロッド２１の下端に押圧されて、突出ピン１６を強制的に引き込む方向に回動する回動片２２とを備える。
【００７５】
押しボタン２０は、グリップ４の上面の中央部分に、上下に移動できるように配設している。押しボタン２０は、弾性体２３を介してグリップ４の下面に連結しており、この弾性体２３を介して弾性的に押し出されている。この押しボタン２０は、下面に駆動ロッド２１を連結しており、押しボタン２０が指で上下に移動されると、駆動ロッド２１を上下に駆動するようにしている。
【００７６】
駆動ロッド２１は、グリップ４と上段の引出ロッド５Ａａの内部に配設されており、押しボタン２０で上下に駆動されて回動片２２を回動させる。図２０に示す駆動ロッド２１は、グリップ４の下面に連結された水平ロッド２１Ａと、上段の引出ロッド５Ａａに挿通された垂直ロッド２１Ｂとを備える。水平ロッド２１Ａの両端は、垂直ロッド２１Ｂの上端の上方に位置しており、水平ロッド２１Ａが下方に押圧されると垂直ロッド２１Ｂを下方に押し下げるようにしている。垂直ロッド２１Ｂは、上端を、上段の引出ロッド５Ａａ内を上下に移動する挿入キャップ２４に挿通しており、垂直ロッド２１Ｂを上段の引出ロッド５Ａａ内で正確に上下に移動できるようにしている。ただ、水平ロッドの両端は、垂直ロッドの上端に連結することもできる。たとえば、駆動ロッドは、コ字状に折曲してなる１本のロッドとすることもできる。駆動ロッド２１の下端は、上段の引出ロッド５Ａａの下端まで延長されている。
【００７７】
回動片２２は、上段の引出ロッド５Ａａの下端部に配設されており、駆動ロッド２１の下端に押圧されて突出ピン１６を強制的に引き込む方向に回動する。図に示す上段の引出ロッド５Ａａは、下端にガイドキャップ２５を連結しており、このガイドキャップ２５の内部に、垂直面内で回動できるように回動片２２を装着している。このガイドキャップ２５は、駆動ロッド２１の下端部を正確に上下動できるように、上段の引出ロッド５Ａａに挿入される連結筒部２６に、駆動ロッド２１を挿通する挿通孔２６Ａを開口している。回動片２２は、全体の形状をＬ字状に折曲しており、一端を回転軸２７を介してガイドキャップ２５に連結すると共に、他端の両側には、突出ピン１６に向かって突出するピン２２Ａを設けている。この回動片２２は、駆動ロッド２１で押圧されて回動するとき、ピン２２Ａの先端を突出ピン１６の両側に設けた突出部１６Ａに当接させて、回動するピン２２Ａで突出ピン１６を押圧して強制的に後退させる。駆動ロッド２１の押圧が解除されると、突出ピン１６は回動片２２のピン２２Ａに押圧されなくなり、弾性部材１９で弾性的に押し出されて回動片２２を元の姿勢に回動させる。
【００７８】
以上の第１解除機構１８は、押しボタン２０が押されると駆動ロッド２１が押し下げられて、駆動ロッド２１の下端に配設された回動片２２が回動される。回動する回動片２２は、ピン２２Ａの先端で突出ピン１６を引き抜く方向に移動させて、突出ピン１６を係止部１７から引き抜く。この状態で、第１ストッパ１５Ａは解除されて、上段の引出ロッド５Ａａが下段の引出ロッド５Ａｂの内部を上下に移動できる状態となる。押しボタン２０を離すと、突出ピン１６が弾性部材１９に押圧されて下段の引出ロッド５Ａｂに向かって突出できる状態となる。
【００７９】
第１ストッパ１５Ａは、グリップ４に設けている第１解除機構１８の押しボタン２０を押して、突出ピン１６を強制的に引き込んで係止状態を解除する。この状態で、上段の引出ロッド５Ａａを引き上げ、あるいは降下させる。突出ピン１６が引き込まれた上段の引出ロッド５Ａａは、下段の引出ロッド５Ａｂの内部を上下に移動する。押しボタン２０を離した後、グリップ４を所定の高さに調整すると、突出ピン１６が係止部１７に案内され、上段の引出ロッド５Ａａの伸縮が停止されて、グリップ４の上昇と降下が停止される。
【００８０】
第２解除機構３８は、上段の引出ロッド５Ａの下端に設けられた挿入ロッド３１と、この挿入ロッド３１の下端に押圧されて、突出ピン３６を強制的に引き込む方向に回動する回動片３２とを備える。
【００８１】
挿入ロッド３１は、上段の引出ロッド５Ａの下端に固定されたガイドキャップ２５の下面に、下方に突出して設けられている。この挿入ロッド３１は、下段の引出ロッド５Ａｂの下端部に固定されたガイドキャップ３５の挿通孔３５Ａに挿入されて、下端で回動片３２の上面を押圧して回動片３２を回動させる。
【００８２】
回動片３２は、下段の引出ロッド５Ａｂの下端部に配設されており、挿入ロッド３１の下端に押圧されて突出ピン３６を強制的に引き込む方向に回動する。図に示す下段の引出ロッド５Ａｂは、下端にガイドキャップ３５を連結しており、このガイドキャップ３５の内部に、垂直面内で回動できるように回動片３２を装着している。このガイドキャップ３５は、挿入ロッド３１を挿入できるように、上面に挿通孔３５Ａを開口している。回動片３２は、全体の形状をＬ字状に折曲しており、一端を回転軸３３を介してガイドキャップ３５に連結すると共に、他端の両側には、突出ピン３６に向かって突出するピン３２Ａを設けている。この回動片３２は、挿入ロッド３１で押圧されて回動するとき、ピン３２Ａの先端を突出ピン３６の両側に設けた突出部３６Ａに当接させて、回動するピン３２Ａで突出ピン３６を押圧して強制的に後退させる。挿入ロッド３１の押圧が解除されると、突出ピン３６は回動片３２のピン３２Ａに押圧されなくなり、弾性部材３９で弾性的に押し出されて回動片３２を元の姿勢に回動させる。
【００８３】
以上の第２解除機構３８は、上段の引出ロッド５Ａａが下段の引出ロッド５Ａｂの最深部まで押し込まれると挿入ロッド３１がガイドキャップ３５の挿通孔３５Ａに挿入されて、下段の引出ロッド５Ａｂの下端に配設された回動片３２が回動される。回動する回動片３２は、ピン３２Ａの先端で突出ピン３６を引き抜く方向に移動させて、突出ピン３６を係止部３７から引き抜く。この状態で、第２ストッパ１５Ｂは解除されて、下段の引出ロッド５Ａｂがガイド筒５Ｂの内部を上下に移動できる状態となる。このとき、第１ストッパ１５Ａａの突出ピン１６は下段の引出ロッド５Ａｂの最も下に設けた係止部１７に挿通されており、挿入ロッド３１がガイドキャップ３５の挿通孔３５Ａに挿入された状態に保持されている。このため、突出ピン３６は、回動片３２によって引き抜き方向に移動された状態に保持される。この状態で、上段の引出ロッド５Ａａと下段の引出ロッド５Ａｂは、収縮状態に連結されており、上段の引出ロッド５Ａａと下段の引出ロッド５Ａｂが一体的に連結された状態でガイド筒５Ｂの内部を上下に移動する。
【００８４】
さらに、一体的に連結された上段の引出ロッド５Ａａと下段の引出ロッド５Ａｂとをガイド筒５Ｂに最も深く挿入すると、第１ストッパ１５Ａの突出ピン１６がガイド筒５Ｂの内側に設けた係止部３０に挿入される。この状態で、伸縮ロッド５の収縮が停止され、グリップ４が最も降下された状態で停止する。この突出ピン１６と係止部３０との係止状態を解除するときは、第１解除機構１８の押しボタン２０を押して突出ピン１６を係止部３０から引き抜く。この状態で、下段の引出ロッド５Ａｂは、ガイド筒５Ｂの内部を上下に移動できる状態となる。
【００８５】
さらに、下段の引出ロッド５Ａｂの引き出しを停止するときは、第１解除機構１８の押しボタン２０を押して突出ピン１６を強制的に引き込んで第１ストッパ１５Ａを解除し、上段の引出ロッド５Ａａを下段の引出ロッド５Ａｂから引き出す。このとき、挿入ロッド３１がガイドキャップ３５の挿通孔３５Ａから引き出され、突出ピン３６が弾性部材３９で突出される状態となる。この状態で、下段の引出ロッド５Ａｂが引き出されて、突出ピン３６がガイド筒５Ｂの上端部に設けた係止部３７に挿入されて、下段の引出ロッド５Ａｂの引き出しが停止される。
【００８６】
以上の構造のストッパ１５は、引出ロッド５Ａが２段に伸縮される伸縮ロッド５を決められた位置に停止できる。ただし、本発明の鞄は、ストッパを以上の構造に特定しない。ストッパには伸縮ロッドを所定の位置で停止できる全ての機構とすることができる。
【図面の簡単な説明】
【００８７】
【図１】従来のキャスター付きの鞄を示す斜視図である。
【図２】本発明者が先に開発したキャスター付きの鞄の斜視図である。
【図３】従来のキャスター付きの鞄を紐で引っ張る状態を示す側面図である。
【図４】本発明の一実施例にかかるキャスター付きの鞄の斜視図である。
【図５】本発明の他の実施例にかかるキャスター付きの鞄の斜視図である。
【図６】本発明の他の実施例にかかるキャスター付きの鞄の斜視図である。
【図７】本発明の他の実施例にかかるキャスター付きの鞄の斜視図である。
【図８】本発明の他の実施例にかかるキャスター付きの鞄の斜視図である。
【図９】本発明の他の実施例にかかるキャスター付きの鞄の斜視図である。
【図１０】本発明の他の実施例にかかるキャスター付きの鞄の正面図である。
【図１１】図４に示すキャスター付の鞄のサブグリップの連結構造を示す拡大斜視図である。
【図１２】サブグリップの連結構造の他の一例を示す拡大斜視図である。
【図１３】サブグリップの連結構造の他の一例を示す拡大斜視図である。
【図１４】サブグリップの連結構造の他の一例を示す拡大斜視図である。
【図１５】図４に示すキャスター付の鞄の使用状態の一例を示す図である。
【図１６】図４に示すキャスター付の鞄の使用状態の他の一例を示す図である。
【図１７】図４に示すキャスター付の鞄の使用状態の他の一例を示す図である。
【図１８】伸縮取手のストッパの一例を示す拡大断面図である。
【図１９】図１８に示す伸縮取手の第２ストッパを解除した状態を示す拡大断面図である。
【図２０】図１８に示す伸縮取手の第１ストッパを解除した状態を示す拡大断面図である。
【符号の説明】
【００８８】
１…キャスター
２…伸縮取手
３…鞄本体              ３Ａ…本体部
３Ｂ…蓋体
４…グリップ
５…伸縮ロッド          ５Ａ…引出ロッド
５Ａａ…上段の引出ロッド
５Ａｂ…下段の引出ロッド
５Ｂ…ガイド筒
６…サブグリップ        ６Ａ…ループ部
７…ベースフレーム
８…載せ台
９…補強壁
１０…支持筒
１１…補強壁
１２…連結ロッド
１３…挿入隙間
１４…挿入凹部
１５…ストッパ          １５Ａ…第１ストッパ
１５Ｂ…第２ストッパ
１６…突出ピン          １６Ａ…突出部
１７…係止部
１８…第１解除機構
１９…弾性部材
２０…押しボタン
２１…駆動ロッド        ２１Ａ…水平ロッド      ２１Ｂ…垂直ロッド
２２…回動片            ２２Ａ…ピン
２３…弾性体
２４…挿入キャップ
２５…ガイドキャップ
２６…連結筒部          ２６Ａ…挿通孔
２７…回転軸
３０…係止部
３１…挿入ロッド
３２…回動片            ３２Ａ…ピン
３３…回転軸
３５…ガイドキャップ    ３５Ａ…挿通孔
３６…突出ピン          ３６Ａ…突出部
３７…係止部
３８…第２解除機構
３９…弾性部材
４０…連結部            ４０Ａ…貫通孔
４０Ｂ…連結具
４０Ｃ…連結具
４１…連結部            ４１Ａ…連結具
４１Ｂ…連結凸部
４１Ｃ…ループ部
４２…連結片
４３…グリップ部
４４…握り部
４５…連結リング
４６…連結部材          ４６Ａ…連結ループ部
４６Ｂ…脱着連結具
７１…キャスター
７２…取手
７５…脚
８１…キャスター
８２…取手
８３…ケース本体
８４…握り部
９３…鞄本体
９６…紐
【図１】
2007159735.tif 000003
【図２】
2007159735.tif 000004
【図３】
2007159735.tif 000005
【図４】
2007159735.tif 000006
【図５】
2007159735.tif 000007
【図６】
2007159735.tif 000008
【図７】
2007159735.tif 000009
【図８】
2007159735.tif 000010
【図９】
2007159735.tif 000011
【図１０】
2007159735.tif 000012
【図１１】
2007159735.tif 000013
【図１２】
2007159735.tif 000014
【図１３】
2007159735.tif 000015
【図１４】
2007159735.tif 000016
【図１５】
2007159735.tif 000017
【図１６】
2007159735.tif 000018
【図１７】
2007159735.tif 000019
【図１８】
2007159735.tif 000020
【図１９】
2007159735.tif 000021
【図２０】
2007159735.tif 000022